(57)【特許請求の範囲】
【請求項１】
エレベータの制御装置から送信された運行状態データを受信するデータ受信部と、
このデータ受信部で受信した運行状態データを第１の情報と第２の情報とに分離するとともに、前記第２の情報を用いて前記第１の情報をパルス変調し、ＬＥＤ点滅パターンを生成するパルス変調部と、
このパルス変調部で生成されたＬＥＤ点滅パターンに応じて、エレベータのかご内または乗り場に設置された可視光ＬＥＤを駆動するＬＥＤ駆動部と、を備え、
前記第１の情報は、少なくともかごの位置情報、かご運転方向、乗り場呼びの登録状態のいずれかを含む通常の案内情報であり、前記第２の情報は、少なくとも車椅子乗り場呼びの登録状態、満員状態、管制運転状態、休止状態、点検中状態、かご到着予報の何れかを含む特別な案内情報であることを特徴とするエレベータシステム。
【請求項２】
請求項１に記載のエレベータシステムにおいて、
前記データ受信部で受信する運行状態データに含まれる前記第２の情報は、デジタル変換された音声情報、映像情報、文字情報、または他の電子機器の制御用コマンド信号のいずれかである、
ことを特徴とするエレベータシステム。
【請求項３】
請求項１に記載のエレベータシステムにおいて、
電力線搬送通信技術を用いて、前記エレベータの制御装置によって生成される運行状態データを前記データ受信部に伝送する、
ことを特徴とするエレベータシステム。
【請求項４】
請求項１に記載のエレベータシステムにおいて、
前記エレベータの制御装置は、複数のデータを周波数多重させた運行状態データを生成し、
前記パルス変調部は、前記運行状態データを周波数弁別して得られた各周波数成分毎に、データを前記第１の情報と前記第２の情報とに分離するとともに、前記第２の情報を用いて前記第１の情報をパルス変調して複数のＬＥＤ点滅パターンを生成し、可視光ＬＥＤを発光させる、
ことを特徴とするエレベータシステム。
【発明の詳細な説明】
【技術分野】
【０００１】
本発明は、エレベータシステムに係わり、特にエレベータの表示装置または照明装置を使用して、乗客側に特別な情報を伝えるエレベータシステムに関する。
【背景技術】
【０００２】
昨今のエレベータシステムは、エレベータのかご内や乗り場に数々の表示装置（例えばエレベータのかご位置や運転方向、その乗り場の呼びの登録状態を“△、▽”などで表示する表示装置、地震・火災・停電などの非常時にエレベータが行う特別な運転（管制運転という）の運転状態、かごの満員状態などを表示する表示装置、エレベータが到着することを表示する到着灯（ランタンともいう）、エレベータが点検中であることを示す点検灯、サービス停止中であることを示す休止灯、乗客がペット同伴で乗車していることを示すペット運転灯など）を設置している。
【０００３】
また、かご内の照明装置としては、天井に設置された蛍光灯や電球の他に、停電時にバッテリで駆動する停電灯などがある。
【０００４】
従来、これらの表示装置は、白熱電球やハロゲン電球などのフィラメント電球を用いたものを利用して、表示内容を記載したアクリル板などの背面から照光する方式が多く、また照明装置も、蛍光灯を除くとフィラメント電球を利用することが多かった。
【０００５】
また、近年、ＬＥＤ（Light Emitting Diode：発光ダイオード）を用いたものが増加しつつある一方、近年の情報化社会の到来によって、エレベータのかご内や乗り場で様々な音声情報、映像情報を提供するシステムも実用化されている。
【０００６】
例えば、かご内では、かごが何階に停止するかを到着直前にアナウンスしたり、「ドアが閉まります」などの戸開・戸閉アナウンスや、乗り場で戸開したときは、「上へ参ります」などの運転方向をアナウンスしたりする。運転状態以外にも、かご内でＢＧＭ放送を流したりする場合もある。また、映像情報の提供例としては、かご内防犯カメラの画像を乗り場のモニタに表示して、乗り場で待つ乗客が不審者の有無を確認できるシステムや、建物の管理者が掲示板代わりに文字メッセージを表示したり、日時情報やエレベータ運転状態を表示したり、ＤＶＤなどの映像情報を表示したりできるデイスプレイ装置も実用化されている。
【特許文献１】特開平１１−１６５９６０号公報
【特許文献２】特開平０６−２３４４７０号公報
【発明の開示】
【発明が解決しようとする課題】
【０００７】
このように、近年のエレベータシステムにおいては、かご内や乗り場に様々な音声情報および映像情報を提供したいというニーズが増加している。しかし、これらのニーズに応えるためにはアナウンス装置やモニタ装置などの情報機器をかご内や乗り場に設置しなければならず、機器コスト、取り付け・配線工事コスト等がかかってしまうという問題があった。
【０００８】
また、近年のエレベータは省スペース化が進んでおり、機器の大きさによっては取り付けることが困難な場合もある。
【０００９】
さらに、最近では、これらの問題点を解決するために、近距離通信機器をかご内や乗り場に設置し、同じく近距離無線通信機能を持つ携帯端末を乗客が持つことにより、その携帯端末に対して情報を提供するシステムが提案されている。この場合の近距離無線通信機器は、赤外線通信や、携帯電話や無線ＬＡＮ等で用いられている電波による無線通信などが利用される。
【００１０】
しかしながら、上述のような無線通信手段では専用の通信機器や伝送線をエレベータに設置する必要があるという問題点がある。
【００１１】
それ以外にも例えば赤外線通信では、目の保護のため強い赤外線を出力することができず、通信距離を長くすることができないという問題がある。また、電波による無線通信では、電磁波の人体への影響から送信出力を上げることができず、また、電波法の制約により広帯域な無線周波数を使用することができない、などの問題点がある。
【００１２】
本発明は上記の事情に鑑み、無線ＬＡＮ機器など、専用の通信機器などを設置させることなく、また人体に対して悪影響を与えることなく、乗客側に、車椅子乗り場呼びの登録状態、満員状態、管制運転状態、休止状態、点検中状態、かご到着予報などの特別な案内情報を知らせて、乗客の利便性を大幅に向上させることができるエレベータシステムを提供することを目的としている。
【課題を解決するための手段】
【００１３】
上記の目的を達成するために本発明は、エレベータの制御装置から送信された運行状態データを受信するデータ受信部と、このデータ受信部で受信した運行状態データを第１の情報と第２の情報とに分離するとともに、前記第２の情報を用いて前記第１の情報をパルス変調し、ＬＥＤ点滅パターンを生成するパルス変調部と、このパルス変調部で生成されたＬＥＤ点滅パターンに応じて、エレベータのかご内または乗り場に設置された可視光ＬＥＤを駆動するＬＥＤ駆動部と、を備え、前記第１の情報は、少なくともかごの位置情報、かご運転方向、乗り場呼びの登録状態のいずれかを含む通常の案内情報であり、前記第２の情報は、少なくとも車椅子乗り場呼びの登録状態、満員状態、管制運転状態、休止状態、点検中状態、かご到着予報の何れかを含む特別な案内情報であることを特徴としている。
【発明の効果】
【００１４】
本発明によるエレベータシステムによれば、乗客の利便性を大幅に向上させることができる。
【発明を実施するための最良の形態】
【００１５】
次に、本発明を実施するための最良の形態を説明する。なお、以下の説明では、煩雑な説明を避ける観点から本発明を表示装置に適用した例を説明するが、可視光ＬＥＤを利用した照明装置についても同様に適用できる。
【００１６】
《第１実施形態》
図１は本発明によるエレベータシステムの第１実施形態を示すブロック図である。
【００１７】
この図に示すエレベータシステム１ａは、エレベータ全体の動作を制御するエレベータ制御装置２と、図２に示すように、かご３内などに設置される表示装置４と、シールドされたメタルツイストケーブルや同軸ケーブル、光ケーブル等によって構成されエレベータ制御装置２と表示装置４との間で情報を伝達する伝送線５とを備えている。
【００１８】
そして、エレベータ制御装置２から出力される運転状態の信号に基づき、表示装置４からパルス変調した可視光が出射されるとともに、通常の案内情報（第１の情報）、例えばかご３の位置情報、かご３の運転方向、乗り場呼びの登録状態などが表示される。また、図２に示すように、エレベータを使用する乗客によって携帯されるカメラ付き携帯電話機６に予め指定された情報、例えば車椅子乗り場呼びの登録状態、満員状態、管制運転状態、休止状態、点検中状態、かご到着予報などを表示させる。
【００１９】
エレベータ制御装置２は、運行制御部８と、データ生成部９と、データ送信部１０とを備えている。運行制御部８は、図２に示すかご内呼び登録装置７からの呼び情報、各乗り場呼び登録装置からの呼び情報、予め設定されている運転パターンなどに応じて、巻上機、ドア制御装置などを制御してかご３を昇降、停止させ、乗客を移動させる。データ生成部９は、運行制御部８から出力される制御信号に基づき、かご３の位置情報、かご３の運転方向、乗り場呼びの登録状態、車椅子乗り場呼びの登録状態、満員状態、管制運転状態、休止状態、点検中状態、かご到着予報などを示すデータ（運行状態データ）を生成する。データ送信部１０は、データ生成部９によって生成されたデータを取り込み、図３（ａ）、（ｂ）に示すようにクロック信号に同期して、データの先頭部分にスタートビットを付加し、データの後尾部分にストップビットを付加したデジタル信号を生成しながら、調歩同期方式で、表示装置４に伝送する。
【００２０】
そして、かご内呼び登録装置７からの呼び情報、各乗り場呼び登録装置からの呼び情報、予め設定されている運転パターンなどに応じて、かご３の位置情報、かご３の運転方向、乗り場呼びの登録状態、車椅子乗り場呼びの登録状態、満員状態、管制運転状態、休止状態、点検中状態、かご到着予報などの運行状態を示すデータを生成し、表示装置４に供給しながら、巻上機、ドア制御装置などを制御してかご３を昇降、停止させ、乗客を移動させる。
【００２１】
表示装置４は、データ受信部１１と、パルス変調部１２と、ＬＥＤ駆動部１３と、ＬＥＤ１４とを備えている。
【００２２】
データ受信部１１は、伝送線５を介して、エレベータ制御装置２から出力されるデータを受信する。
【００２３】
パルス変調部１２は、データ受信部１１で受信されたデータをデコードして、通常の案内情報（第１の情報）と、特別な案内情報（第２の情報）とを生成するとともに、通常の案内情報、例えばかご３の位置情報、かご３の運転方向、乗り場呼びの登録状態などに基づき、図４（ａ）に示すように、ＬＥＤ表示信号（受信データ）を生成するとともに、特別な案内情報、例えば車椅子乗り場呼びの登録状態、満員状態、管制運転状態、休止状態、点検中状態、かご到着予報などに基づき、図４（ａ）、（ｂ）、（ｃ）に示すように、ＬＥＤ表示信号とクロック信号との論理積を取ったＬＥＤ点滅パターンを生成する。
【００２４】
ＬＥＤ駆動部１３は、パルス変調部１２から出力されるＬＥＤ点滅パターンに基づき、ＬＥＤ駆動電圧を生成する。
【００２５】
ＬＥＤ１４は、かご内の呼び登録装置７などに設置され、ＬＥＤ駆動部１３からＬＥＤ駆動電圧が出力されているとき、変調ＬＥＤ光を出して、かご３の位置情報、かご３の運転方向、乗り場呼びの登録状態など、通常の案内情報（第１の情報）を表示しながら、車椅子乗り場呼びの登録状態、満員状態、管制運転状態、休止状態、点検中状態、かご到着予報など、特別な案内情報（第２の情報）を出す。
【００２６】
なお、エレベータの機種や使用用途などによっては通常の案内情報と特別な案内情報とを適宜選択できる。例えば、車椅子用エレベータの場合には、「車椅子乗り場呼びの登録状態」を通常の案内情報とすることが好ましい。また、非常用エレベータなどの場合には「管制運転状態」を通常の案内情報とすることが好ましい。
【００２７】
そして、この表示装置４では、伝送線５を介して、エレベータ制御装置２から出力されるデータを受信してデコードするとともに、デコード動作で得られた通常の案内情報と、特別な案内情報とに基づき、ＬＥＤ１４を変調発光させて、かご３の位置情報、かご３の運転方向、乗り場呼びの登録状態など、通常の案内情報を表示する。また、同時に、車椅子乗り場呼びの登録状態、満員状態、管制運転状態、休止状態、点検中状態、かご到着予報など、特別な案内情報を含む情報を発信する。
【００２８】
これにより、かご３内などにいる人にかご３の位置情報、かごの運転方向、乗り場呼びの登録状態など、通常の案内情報を知らせるとともに、これら各人が持つ携帯電話機６のカメラ部に変調ＬＥＤ光を受光させ、携帯電話機６のディスプレイに車椅子乗り場呼びの登録状態、満員状態、管制運転状態、休止状態、点検中状態、かご到着予報などを提供する。
【００２９】
このように、第１実施形態では、エレベータ制御装置２から出力されるデータに基づき、かご３内などに設置されたＬＥＤ１４を高速点滅させて、ＬＥＤ１４を見ている人に通常の案内情報を報知する。また、かご３内、あるいは乗り場などに居る人が持つ携帯電話機６のカメラ部に変調ＬＥＤ光を受光させ、携帯電話機６のディスプレイに車椅子乗り場呼びの登録状態、満員状態、管制運転状態、休止状態、点検中状態、かご到着予報などを提供するようにしている。このため、無線ＬＡＮ機器など、専用の通信機器などを設置することなく、また人体に対して悪影響を与えることなく、乗客側に、車椅子乗り場呼びの登録状態、満員状態、管制運転状態、休止状態、点検中状態、かご到着予報など、特別な案内情報を報知でき、これによって乗客の利便性を大幅に向上させることができる。
【００３０】
《第２実施形態》
図５は本発明によるエレベータシステムの第２実施形態を示すブロック図である。
【００３１】
この図に示すエレベータシステム１ｂが図１に示すエレベータシステム１ａと異なる点は、エレベータ制御装置２に音声情報、映像情報、文字情報、他の電子機器で使用される制御コマンド情報などを取り込んで、表示装置４のＬＥＤ１４からこれら音声情報、映像情報、文字情報、他の電子機器で使用される制御コマンド情報などに応じた変調ＬＥＤ光を生成するようにしたことである。
【００３２】
これにより、第２実施形態では、かご内、あるいは乗り場にいる利用者が持つ携帯電話機６から音楽、建物のガイダンスなどを音声出力させたり、携帯電話機のディスプレイに映像情報、文字情報を表示させたり、あるいは他の電子機器で使用される制御コマンド情報を用いて特定の動作、例えば特定の電話番号に電話をかけさせることもできる。
【００３３】
《第３実施形態》
図６は本発明によるエレベータシステムの第３実施形態を示すブロック図である。
【００３４】
この図に示すエレベータシステム１ｃが図１に示すエレベータシステム１ａと異なる点は、エレベータ制御装置２と、表示装置４との間からシールドされたメタルツイストケーブル、同軸ケーブル、光ケーブル等によって構成される伝送線５が取り除かれていることである。そして、エレベータ制御装置２と、表示装置４との間の通信は、各々に電力を供給している電力線１５、１６を利用した電力線搬送通信技術（ＰＬＣ：Power Line Communication）によって行うようにしている。
【００３５】
これにより、第３実施形態では、エレベータ制御装置２と表示装置４とに各々電力を供給している電力線１５、１６を利用した電力線搬送通信技術を用いて、エレベータ制御装置２によって生成されたデジタル信号を表示装置４に供給するので、エレベータ制御装置２とかご３、乗り場との間に専用の伝送線が不要となる。また人体に対して悪影響を与えることなく、乗客側に、車椅子乗り場呼びの登録状態、満員状態、管制運転状態、休止状態、点検中状態、かご到着予報など、特別な案内情報を提供することにより、乗客の利便性を大幅に向上させることができる。
【００３６】
《第４実施形態》
図７は本発明によるエレベータシステムの第４実施形態を示すブロック図である。
【００３７】
この図に示すエレベータシステム１ｄが図１に示すエレベータシステム１ａと異なる点は、データ生成部（１つの周波数を用いてデータを生成するデータ生成部）９に代えて、周波数が異なる複数のデータを生成するデータ生成部１７を設けるとともに、デジタル信号を周波数成分毎に分離して複数のデータを復元する伝送制御部１８を設けたことにある。この例では、エレベータ制御装装置１９から複数のデータが周波数多重されたデジタル信号が出力され、表示装置２０の伝送制御部１８で周波数成分毎にデータが分離され、各パルス変調部１２に供給される。これにより、各ＬＥＤ１４は異なる点滅パターン、異なる色で高速点滅される。
【００３８】
これにより、第４実施形態では、１つの伝送線５でエレベータ制御装置１９から表示装置２０に異なる種類のデータを送信し、各ＬＥＤ１４から互いに異なる色で、異なる種類のデータを出力するようにしている。このため、無線ＬＡＮ機器など、専用の通信機器などを設置することなく、また人体に対して悪影響を与えることなく、乗客に、複数種類の情報を同時に知らせて、健常者向けの音声アナウンスと視覚障害者向けの音声アナウンスを別々に送信することができる。
【００３９】
また、特定の色を透過する光学フィルターをカメラ付き携帯電話機のレンズ部に装着するなどすれば、健常者向けと視覚障害者向けの音声アナウンスを分けて提供することができる。
【００４０】
《他の実施形態》
以上述べた各実施形態では、可視光通信の受信装置としてカメラ付き携帯電話機６を用いた例を示したが、上述のように受光機能を備えた機器であれば同等の効果を期待できる。
【００４１】
例えば、乗り場の床面に受光機能を備えた受信装置を設置し、乗り場に設置されたエレベータの到着灯（ランタン）等から可視光ＬＥＤ通信を行う。この場合、機能の例としては、乗り場にかごが到着すると同時にランタンが点灯し、かつ床面に内蔵されたマイクから「エレベータが到着します」などのアナウンスが流れるようにすることもできる。
【００４２】
また、視覚障害者が持つ白杖に受光機能とマイクを搭載すれば、さらに応用例は広がる。例えば、乗り場の呼びボタンは、呼びが登録されると内蔵したＬＥＤが点灯するが、このＬＥＤに可視光通信機能を搭載すれば、白杖を持つ視覚障害者が乗り場に近づいてきた時に白杖から「エレベータのボタンは既に押されています」などのアナウンスが流れる。
【００４３】
また、上述した各実施形態では、表示装置４、１９や照明装置など、ＬＥＤを持つ機器に対してエレベータ制御装置２からデータを送信するようにしているが、エレベータ制御装置２以外の機器であっても構わない。例えば、データ送信元がＤＶＤやデジタルＴＶ放送機器で、これらの機器からエレベータのかご３内や乗り場の表示装置４、１９や照明装置に有線でデータを送信し、表示装置４、１９や照明装置に搭載されたＬＥＤによって可視光通信を行い、カメラ付き携帯電話機６などで受信する構成としてもよい。
【００４４】
また、本発明はエレベータのみならず、同じ昇降機であるエスカレータへの適用も可能である。
【図面の簡単な説明】
【００４５】
【図１】本発明によるエレベータシステムの第１実施形態を示すブロック図。
【図２】図１に示す表示装置から出射される変調ＬＥＤ光を受光して特別な案内情報を表示するカメラ付き携帯電話機の一例を示す斜視図。
【図３】図１に示すエレベータ制御装置で生成されるデータの一例を示す波形図。
【図４】図１に示す表示装置で生成されるＬＥＤ点滅パターンの一例を示す波形図。
【図５】本発明によるエレベータシステムの第２実施形態を示すブロック図。
【図６】本発明によるエレベータシステムの第３実施形態を示すブロック図。
【図７】本発明によるエレベータシステムの第４実施形態を示すブロック図。
【符号の説明】
【００４６】
１ａ〜１ｄ：エレベータシステム
２：エレベータ制御装置
３：かご
４：表示装置
５：伝送線
６：携帯電話機
７：かご内呼び登録装置
８：運行制御部
９：データ生成部
１０：データ送信部
１１：データ受信部
１２：パルス変調部
１３：ＬＥＤ駆動部
１４：ＬＥＤ
１５：電力線
１６：電力線
１７：データ生成部
１８：伝送制御部
１９：エレベータ制御装置
２０：表示装置
【図１】
0005132067.tif 000002
【図２】
0005132067.tif 000003
【図３】
0005132067.tif 000004
【図４】
0005132067.tif 000005
【図５】
0005132067.tif 000006
【図６】
0005132067.tif 000007
【図７】
0005132067.tif 000008